(57)【要約】【課題】本発明はポインティングデバイスの電池蓋構造に関し、紐等のつなぐための部材を用いることなく、ケースから離れた状態の電池蓋をケースとつないでおくことを可能とすることを課題とする。【解決手段】電池蓋３０は、蓋本体３１の両側にリブ３２Ｘ１、３２Ｘ２を有する。各リブ３２Ｘ１、３２Ｘ２にはスリット３３Ｘ１、３３Ｘ２が形成してある。スリット３３Ｘ１、３３Ｘ２は、水平スリット部３３Ｘ１−１、３３Ｘ２−１と、これに続く斜めスリット部３３Ｘ１−２、３３Ｘ２−２とよりなる。ケース１１に形成してある乾電池収容部１２には、その両側の壁よりボス１７Ｘ１、１７Ｘ２が突き出ている。電池蓋３０は、スリット３３Ｘ１、３３Ｘ２が夫々ボス１７Ｘ１、１７Ｘ２とスライド可能に嵌合した状態で、ケース１１に取り付けられている。電池蓋３０がケース１１から離れ、乾電池収容部１２が開かれた状態において、電池蓋３０はリブ３２Ｘ１、３２Ｘ２とボス１７Ｘ１、１７Ｘ２とによってケース１１とつながっている。【選択図】図４
2010113812.tif 000002
【特許請求の範囲】
【請求項１】
電池が収容される電池収容室が形成してあるケースに、該電池収容室の開口を覆うように取り付けてあって該ケースより離すことが可能である電池蓋を有する電池蓋構造において、
前記電池蓋は、蓋本体と、該蓋本体の裏面より突き出て形成してあり、スリットを有するリブとを有し、
前記ケースは、前記電池収容室の側壁より突き出たボスを有し、
前記電池蓋の前記リブの前記スリットが、前記ボスに対して移動可能に前記ボスと嵌合しており、前記電池蓋が前記ケースから離れた状態で前記スリットが前記ボスと嵌合し続けている、電池蓋構造。
【請求項２】
前記リブは、前記蓋本体の長手方向に直交する幅方向の両側に形成してある一対のリブよりなり、
前記ボスは、前記電池収容室の両側の側壁より突き出した一対のボスよりなり、
前記一対のリブが前記電池収容室の両側の側壁に当接して位置しており、且つ、前記一対のリブの夫々に形成してある前記スリットが前記一対のボスのうちの対応するボスに嵌合している構成とした、請求項１に記載の電池蓋構造。
【請求項３】
前記スリットは、
前記蓋本体と平行であり、前記電池蓋が前記電池収容室の開口を覆っているときに、前記ボスと嵌合する水平スリット部と、
前記水平スリット部に続いて形成してあり、前記電池蓋が前記電池収容室の開口から離れたときに、前記ボスと嵌合する斜めスリット部と、を有する、請求項２に記載の電池蓋構造。
【請求項４】
前記蓋は、該電池収容室の開口を覆っている状態で前記ケースの一部と係合するロック爪を有し、
前記水平スリット部が前記ボスに対して摺動する動作を伴って前記蓋が前記ケースに対してスライドされることによって、前記ロック爪による前記ケースに対するロックが解除される、請求項３に記載の電池蓋構造。
【発明の詳細な説明】
【技術分野】
【０００１】
本発明は電池蓋構造に係り、特に、手で持って操作される小型のポインティングデバイスの電池蓋構造に関する。
【背景技術】
【０００２】
手で持って操作される小型のポインティングデバイスは、乾電池が収容されている構成であり、ケースは乾電池収容部を有し、且つ、乾電池収容部を覆う蓋を有する構成である。乾電池を新しいものと交換する場合に、蓋を開く必要がある。
【０００３】
この蓋には、種々のタイプがある。例えば、蓋がヒンジ部でケース本体と連結してあり、ヒンジ部を中心に回転して開閉する構成がある。この構成では、蓋を開いた状態で、蓋はケース本体と連結してあり、蓋が紛失してしまう虞はない。しかし、蓋をヒンジ部でケース本体と連結しておく必要があり、蓋の位置はケース本体の端の箇所となり、ポインティングデバイスはデザイン等に制限を受ける場合がある。
【０００４】
また、蓋をケース本体に対してスライドさせることによって、蓋をケース本体から分離させて、乾電池収容部を開く構成のものがある。この構成は、ケース本体の任意の箇所に配置することが可能であるので、ケースを手になじみ易い形状に自由にデザインすることができるという効果を有する。しかし、蓋をケース本体から分離されるので、蓋が紛失してしまう虞があった。
【特許文献１】特開２００４−２２４４１０号公報
【発明の開示】
【発明が解決しようとする課題】
【０００５】
この問題は、従来は、蓋とケース本体との間を、紐等で結ぶことによって解決していた。しかし、紐等の部材が必要となる他に、蓋を閉めるときに紐を挟んでしまって紐が邪魔となってしまったり、使用しているうちに紐が傷んで切断してしまう等の問題があった。
【０００６】
そこで、本発明は、上記課題を解決した電池蓋構造を提供することを目的とする。
【課題を解決するための手段】
【０００７】
本発明は、電池が収容される電池収容室が形成してあるケースに、該電池収容室の開口を覆うように取り付けてあって該ケースより離すことが可能である電池蓋を有する電池蓋構造において、
前記電池蓋は、蓋本体と、該蓋本体の裏面より突き出て形成してあり、スリットを有するリブとを有し、
前記ケースは、前記電池収容室の側壁より突き出たボスを有し、
前記電池蓋の前記リブの前記スリットが、前記ボスに対して移動可能に前記ボスと嵌合しており、前記電池蓋が前記ケースから離れた状態で前記スリットが前記ボスと嵌合し続けているように構成することを特徴とする。
【発明の効果】
【０００８】
電池蓋がケースから離れた状態でスリットがボスと嵌合し続けていることによって、紐等のつなぐための部材を用いないで、ケースより離れた電池蓋をケースと連結させておくことが出来る。
【発明を実施するための最良の形態】
【０００９】
次に発明を実施するための最良の形態について説明する。
【実施例１】
【００１０】
図１は本発明の実施例１になるポインティングデバイス１０を示す。図２はポインティングデバイス１０を表裏反転した状態で示す図である。図３は表裏反転した状態のポインティングデバイス１０をIII-III線を含む垂直面で切断した断面図である。電池蓋３０は閉じられている。
【００１１】
各図中、Ｘ１−Ｘ２は幅方向、Ｙ１−Ｙ２は長手方向、Ｚ１−Ｚ２は厚さ方向である。
【００１２】
ポインティングデバイス１０は、略直方体であり、片手で握り易い大きさである。ポインティングデバイス１０の外形は、箱形状のケース１１と、上面の板形状のカバー２０と、電池蓋３０とを有する形状である。ポインティングデバイス１０の内部には、プリント基板（図示せず）が組み込んである。
【００１３】
ポインティングデバイス１０の上面には、操作ボタン４０がカバー２０の開口窓より突き出て並んでいる。
【００１４】
[ケース１１の形状]
ケース１１の底面には、図４に示すように、乾電池をＹ方向の向きでＸ方向に二本並べて収容可能なような大きさ形状で凹状とされている乾電池収容部１２が形成してある。１３は縁部であり、乾電池収容部１２の開口１２ａに沿って帯状に存在しており、Ｕ字形状となっている。１４は張り出し覆い部であり、ケース１１のうちＹ１側に位置しており、乾電池収容部１２のうちＹ１側の部分に張り出してこの部分を覆っている。
【００１５】
１５Ｘ１、１５Ｘ２は凹み部であり、乾電池収容部１２のＸ１側とＸ２側とに形成してあり、後記のリブ３２Ｘ１、３２Ｘ２の厚さｔに対応する大きさであり、垂直の壁１６Ｘ１、１６Ｘ２を有する。縁部１３は凹み部１５Ｘ１、１５Ｘ２によって幅を狭くされた箇所でも、幅Ｗ１を有する。
【００１６】
１７Ｘ１、１７Ｘ２はボスであり、夫々乾電池収容部１２の幅方向の両側の垂直壁１６Ｘ１、１６Ｘ２より凹み部１５Ｘ１、１５Ｘ２内に突き出ている。
【００１７】
張り出し覆い部１４の裏面には、ロック用の凹部１８が形成してある。
【００１８】
[電池蓋３０の形状]
電池蓋３０は、図５及び図４に示すように、蓋本体３１と、リブ３２Ｘ１、３２Ｘ２と、ロック爪３５とを有する。
【００１９】
蓋本体３１は、略板形状であり、乾電池収容部１２の開口１２ａを覆う大きさであり、Ｚ１側が裏面３１ａであり、Ｚ２側が表面３１ｂである。裏面３１ｂには、Ｘ１、Ｘ２、Ｙ２側の辺に沿う帯状で平面状の縁取り面３４が形成してある。
【００２０】
リブ３２Ｘ１、３２Ｘ２は、蓋本体３１の裏面３１ａのＸ側のうちＹ１側の箇所の両側に、蓋本体３１の裏面の縁取り面３１ａより垂直に突き出て形成してあり、Ｙ方向に沿っている。リブ３２Ｘ１、３２Ｘ２は、蓋本体３１のＸ側の縁より、上記Ｗ１に対応する寸法Ａだけ中央側に偏倚した位置に形成してある。このリブ３２Ｘ１、３２Ｘ２は、Ｙ１側が高い略直角三角形状であり、スリット３３Ｘ１、３３Ｘ２が形成してある。３２Ｘ１ａ、３２Ｘ２ａはリブ３２Ｘ１、３２Ｘ２の斜辺であり、３２Ｘ１ｂ、３２Ｘ２ｂはリブ３２Ｘ１、３２Ｘ２の高さ辺である。
【００２１】
スリット３３Ｘ１、３３Ｘ２は、水平スリット部３３Ｘ１−１、３３Ｘ２−１と、これに続く斜めスリット部３３Ｘ１−２、３３Ｘ２−２とを有する。
【００２２】
水平スリット部３３Ｘ１−１、３３Ｘ２−１は、Ｙ１−Ｙ２方向上は、蓋本体３１のＹ１側の縁端３１Ｙ１より離れた位置であって、Ｚ１−Ｚ２方向上は、蓋本体３１の近くの位置に、縁取り面３４と平行に延在している。斜めスリット部３３Ｘ１−２、３３Ｘ２−２は、夫々水平スリット部３３Ｘ１−１、３３Ｘ２−１のＹ１方向の端に続いて、リブ３２Ｘ１、３２Ｘ２の斜辺３２Ｘ１ａ、３２Ｘ２ａに沿って延在している。
【００２３】
ロック爪３５は、蓋本体３１の裏面のＹ１側の縁３１Ｙ１より、Ｙ１方向に突き出ている。
【００２４】
３６は滑り止め部であり、蓋本体３１の表面３１ｂのうちＹ１側の箇所に形成してある。
【００２５】
この電池蓋３０は、リブ３２Ｘ１、３２Ｘ２が対応する凹み部１５Ｘ１、１５Ｘ２に嵌合し垂直壁１６Ｘ１、１６Ｘ２と当接し、スリット３３Ｘ１、３３Ｘ２が対応するボス１７Ｘ１、１７Ｘ２と嵌合して、ケース１１に対して限られた範囲でケース１１より離れるように変位可能な状態で、ケース１１に連結してある。なお、スリット３３Ｘ１、３３Ｘ２の対応するボス１７Ｘ１、１７Ｘ２への嵌合は、リブ３２Ｘ１、３２Ｘ２を蓋本体３１の中心側に弾性的に撓ませることによってなされる。
【００２６】
[電池蓋３０が乾電池収容部１２を覆っている状態]
電池蓋３０は、図２及び図３に示すように、蓋本体３１の縁３１Ｙ１が張り出し覆い部１４の端と突き当たり、ロック爪３５がロック用凹部１８と係合し、縁取り面３１ａが縁部１３と接触し、蓋本体３１の縁がケース１１の縁と一致した状態で、乾電池収容部１２の開口１２ａを覆っている。
【００２７】
電池蓋３０は、Ｙ２方向の変位については、ロック爪３５がロック用凹部１８と係合していることにより制限されており、Ｘ１−Ｘ２方向については、リブ３２Ｘ１、３２Ｘ２が夫々垂直壁１６Ｘ１、１６Ｘ２に当接していることによって変位を制限されている。  また、水平スリット部３３Ｘ１−１、３３Ｘ２−１が夫々ボス１７Ｘ１、１７Ｘ２と嵌合していることによって、電池蓋３０はケース１１の縁部１３から浮き上がることが制限されている。よって、電池蓋３０はがたつきを制限された状態で乾電池収容部１２の開口１２ａを覆っており、ケース１１と一体化されている。
【００２８】
なお、ボス１７Ｘ１、１７Ｘ２に嵌合しているのが水平スリット部３３Ｘ１−１、３３Ｘ２−１であることによって、ロック爪３５のロック用凹部１８との係合が解除されると、電池蓋３０は水平スリット部３３Ｘ１−１、３３Ｘ２−１の長さの範囲でＹ２方向へ移動することが可能となっている。
【００２９】
また、電池蓋３０は、ケース１１より離すことが可能であり、ケース１１より離された状態で、乾電池収容部１２の開口１２ａが開かれる。
【００３０】
[電池蓋３０を開く操作及び動作]
次に、電池蓋３０を開く操作及び動作について、図６乃至図８を参照して説明する。
【００３１】
操作者は、最初に、ポインティングデバイス１０を掴んでいる手の中で裏返しにし、掴んでいる手の親指で滑り止め部３６を押し付けると共に親指をＹ２方向に移動させる。
【００３２】
この操作によって、蓋本体３１の縁３１Ｙ１の部分が凹むように撓まされて、ロック爪３５がロック用凹部１８から外れ、電池蓋３０は水平スリット部３３Ｘ１−１、３３Ｘ２−１の長さの範囲でＹ２方向へ移動され、電池蓋３０のＹ２側の縁３１Ｙ２がケース１１のＹ２側の端より突き出し、図６（Ａ）、（Ｂ）に示す状態となる。
【００３３】
続いて、操作者は、突き出した部分３７を別の手の指先で引っ掛けて上げ、次いで、電池蓋３０を掴んで引き上げる操作をする。
【００３４】
この操作によって、電池蓋３０は、斜めスリット部３３Ｘ１−２、３３Ｘ２−２が夫々ボス１７Ｘ１、１７Ｘ２と嵌合しつつ、図７（Ａ）、（Ｂ）に示すように、縁３１Ｙ２が上となる斜めの姿勢となり、最終的には、図８（Ａ）、（Ｂ）に示すように、斜めスリット部３３Ｘ１−２、３３Ｘ２−２の端が夫々ボス１７Ｘ１、１７Ｘ２に当たる状態となって、開いた状態となる。
【００３５】
この状態で、乾電池を新しいものと交換し、電池蓋３０を閉じる。電池蓋３０を閉じる操作は前記の開く操作とは逆の順序で行い、電池蓋３０は前記の開くときの動作とは逆の順序で移動して、閉じられる。
【００３６】
ここで、斜めスリット部３３Ｘ１−２、３３Ｘ２−２が夫々ボス１７Ｘ１、１７Ｘ２と嵌合しているので、電池蓋３０はリブ３２Ｘ１、３２Ｘ２とボス１７Ｘ１、１７Ｘ２とによってケース１１とつながった状態を維持する。よって、乾電池を交換する作業中に、電池蓋３０が落ちたり、電池蓋３０が紛失したりする不都合は防止される。
【００３７】
また、電池蓋３０が開く途中では勿論、完全に開いた状態でも、リブ３２Ｘ１、３２Ｘ２の一部が夫々垂直壁１６Ｘ１、１６Ｘ２に当接しているので、電池蓋３０が、特に、電池蓋３０の縁３１Ｙ２の側がＸ１−Ｘ２方向に無用にがたつくことが制限されている。よって、電池蓋３０の開閉操作は円滑になされる。即ち、ケース１１から離れた電池蓋３０をケース１１とつながった状態に維持するリブ３２Ｘ１、３２Ｘ２は、閉じている電池蓋３０及び開いた電池蓋３０及びその途中の電池蓋３０がＸ１−Ｘ２方向に無用にがたつかないように機能する。
【００３８】
なお、本発明の電池蓋構造は、テレビ等の機器のリモコンにも適用可能である。
【図面の簡単な説明】
【００３９】
【図１】本発明の実施例１になるポインティングデバイスの斜視図である。
【図２】電池蓋が閉じられた状態のポインティングデバイスを示す斜視図である。
【図３】図２のポインティングデバイスをIII-III線を含む垂直面で切断した縦断面図である。
【図４】ポインティングデバイスのケースと電池蓋とを分離して示す斜視図である。
【図５】図４中の電池蓋を反転した状態で示す斜視図である。
【図６】電池蓋を開く最初の操作が完了したときの状態を示す図であり、（Ａ）は斜視図、（Ｂ）は縦断面図である。
【図７】電池蓋を開く次の操作を行ったときの状態を示す図であり、（Ａ）は斜視図、（Ｂ）は縦断面図である。
【図８】電池蓋が開かれたときの状態を示す図であり、（Ａ）は斜視図、（Ｂ）は縦断面図である。
【符号の説明】
【００４０】
１０  ポインティングデバイス
１１  ケース
１２  乾電池収容部
１３  縁部
１４  張り出し覆い部
１５Ｘ１、１５Ｘ２  凹み部
１６Ｘ１、１６Ｘ２  垂直壁
１７Ｘ１、１７Ｘ２  ボス
１８  ロック用の凹部
２０  カバー
３０  電池蓋
３１  蓋本体
３２Ｘ１、３２Ｘ２  リブ
３３Ｘ１、３３Ｘ２  スリット
３３Ｘ１−１、３３Ｘ２−１  水平スリット部
３３Ｘ１−２、３３Ｘ２−２  斜めスリット部
４０  操作ボタン
【図１】
2010113812.tif 000003
【図２】
2010113812.tif 000004
【図３】
2010113812.tif 000005
【図４】
2010113812.tif 000006
【図５】
2010113812.tif 000007
【図６】
2010113812.tif 000008
【図７】
2010113812.tif 000009
【図８】
2010113812.tif 000010